(57)【要約】【課題】ユーザーがボタンのストローク調節を簡単に、かつ直感的に行うことが可能なカメラを提供する。【解決手段】歪み量に応じて電圧を出力する部材を貼りつけたボタンと、各種情報を表示する表示画面と、操作部材と、前記ボタンの押し込まれた量を検出する検出手段と、前記ボタンの押し込み量によって装置の状態を制御する制御手段と、前記ボタンが所定の押し込み量になったら外部から前記部材に電圧を印加して前記部材を振動させる手段と、前記ボタンの押し込み量をユーザーが調節できる調節手段と、を有し、前記表示画面にストローク調節画面を表示し、前記ストローク調節画面においてユーザーが実際にボタンを押し込むと現在の押し込み量をユーザーに視覚的に通知し、押し込み量が現在の設定値に達したら前記部材を振動させて実際の使用感をユーザーに与える。【選択図】図１
2019148632.tif 000002
【特許請求の範囲】
【請求項１】
歪み量に応じて電圧を出力する部材を貼りつけたボタンと、
各種情報を表示する表示画面と、
操作部材と、
前記ボタンの押し込まれた量を検出する検出手段と、
前記ボタンの押し込み量によって装置の状態を制御する制御手段と、
前記ボタンが所定の押し込み量になったら外部から前記部材に電圧を印加して前記部材を振動させる手段と、
前記ボタンの押し込み量をユーザーが調節できる調節手段と、
を有し、
前記表示画面にストローク調節画面を表示し、
前記ストローク調節画面においてユーザーが実際にボタンを押し込むと現在の押し込み量をユーザーに視覚的に通知し、
押し込み量が現在の設定値に達したら前記部材を振動させて実際の使用感をユーザーに与えることを特徴とするカメラ。
【請求項２】
前検出手段は、前記部材の歪み量に応じた出力として検出することを特徴とする請求項１に記載のカメラ。
【請求項３】
前記部材からの出力を、環境に応じて補正をかけて読み取ることを特徴とする請求項２に記載のカメラ。
【発明の詳細な説明】
【技術分野】
【０００１】
本発明はカメラに関し、特に触感フィードバックを用いてボタンのストローク調節を行うことができるものに関する。
【背景技術】
【０００２】
従来、撮像装置としてのカメラのレリーズボタンは、メカ的な２段スイッチとなっている。そして、１段目のスイッチがＯＮ（以下、ＳＷ１や半押し状態とよぶ）するとオートフォーカスや露出等の撮影準備を開始し、２段目のスイッチがＯＮ（以下、ＳＷ２や全押し状態とよぶ）することで撮影動作に入る構成となっている。
【０００３】
この構成において、半押し状態及び全押し状態までの押し込みストローク長は、撮像装置製造時に物理的に設定されており、ユーザー自身が自らの好みに合わせてストローク長を変更することは出来ない。
【０００４】
上記の問題に対し、特許文献１では静電容量センサを用いてストローク調節を可能にする方法や、特許文献２では歪みセンサを用いてストローク調節を可能にする方法が提案されている。
【先行技術文献】
【特許文献】
【０００５】
【特許文献１】特開２０１２−１８５２４９号公報
【特許文献２】特開２０１４−２１４０８号公報
【発明の概要】
【発明が解決しようとする課題】
【０００６】
しかし、特許文献１および２で提案されている方法では、例えば半押し状態までレリーズボタンを押しこんだことが指の感触で分からないため、実際の調節時や使用時に使い勝手が良くない。
【０００７】
本発明の目的は、ユーザーがボタンのストローク調節を簡単に、かつ直感的に行うことが可能なカメラを提供することである。
【課題を解決するための手段】
【０００８】
上記目的を達成するため、本発明に係るカメラは、歪み量に応じて電圧を出力する部材を貼りつけたボタンと、各種情報を表示する表示画面と、操作部材と、前記ボタンの押し込まれた量を検出する検出手段と、前記ボタンの押し込み量によって装置の状態を制御する制御手段と、前記ボタンが所定の押し込み量になったら外部から前記部材に電圧を印加して前記部材を振動させる手段と、前記ボタンの押し込み量をユーザーが調節できる調節手段と、を有し、前記表示画面にストローク調節画面を表示し、前記ストローク調節画面においてユーザーが実際にボタンを押し込むと現在の押し込み量をユーザーに視覚的に通知し、押し込み量が現在の設定値に達したら前記部材を振動させて実際の使用感をユーザーに与えることを特徴とする。
【発明の効果】
【０００９】
本発明によれば、ユーザーがボタンのストローク調節を簡単に、かつ直感的に行うことが可能となる。
【図面の簡単な説明】
【００１０】
【図１】本発明の第一の実施形態における圧電フィルムを用いたレリーズボタン構成の例を示す図
【図２】ストローク調節を行う画面を示す図
【図３】ストローク調節を行う際のフローチャート
【図４】ＳＷ１よりＳＷ２が浅い位置にストローク調節された時の注意画面を示す図
【図５】第二の実施形態におけるスイッチを削除したレリーズボタン構成の例を示す図
【発明を実施するための形態】
【００１１】
（第一の実施形態）
図１は、本発明の第一の実施形態における、圧電フィルムを用いたレリーズボタンの構成の例を示す図である。レリーズボタン（１０１）を押し込んでいくと、レリーズボタンの足（１０２）が下部に設置されたスイッチ（１０３）を押し込むような構造になっており、前記スイッチ（１０３）は第一の調整位置まで押し込まれた時にＯＮとなる第一段スイッチ機能（ＳＷ１）と、第二の調整位置まで押し込まれた時にＯＮとなる第二段スイッチ機能（ＳＷ２）を持つ。
【００１２】
歪み量に応じて電圧を出力する部材（１０４）は圧電フィルムであり、ＳＷ１およびＳＷ２がＯＮ状態になると、圧電フィルムに外部から電圧を印加し、圧電フィルムを振動させるようになっている。前記スイッチ（１０３）は、例えば静電容量を用いて押し込み量を検出する方式であってもよいし、歪みセンサを用いて押し込み量を検出する方式であってもよい。これらに限らず、アナログ的に押し込み量を検出できる方法であれば検出方式は限定しない。
【００１３】
図１を用いて、撮像装置の一般動作について説明する。不図示の電源スイッチがＯＮされると、制御マイコン（１０５）が起動を開始し、レリーズボタン（１０１）の状態検知の準備に入る。ユーザーによって前記レリーズボタン（１０１）が押し込まれていくと、ＳＷ１がＯＮされた状態において、オートフォーカスや露出設定など撮影準備動作を行う。さらに前記レリーズボタン（１０１）が押し込まれてＳＷ２がＯＮする状態になると、前記制御マイコン（１０５）は不図示の撮像ブロックを制御して撮影動作やデータ保存を行う。
【００１４】
次に、図２を用いてストローク調節画面について説明する。表示画面（２００）はタッチパネルとなっており、ユーザーは指で各種操作可能となっている。左側に表示されている棒グラフ（２０１）は、現在レリーズボタンがどれくらい押し込まれているかを表しており、押し込まれている量に応じて灰色の部分（２０２）が上から下に伸びるようになっている。
【００１５】
また、黒塗りの三角マーク（２０３）および白抜きの三角マーク（２０４）はそれぞれ半押し（ＳＷ１）と全押し（ＳＷ２）のストローク量を調節するための操作アイコンを示しており、ユーザーはそれぞれの三角マークを上下に操作してストローク調節を行う。前記黒塗りの三角マーク（２０３）と前記白抜きの三角マーク（２０４）は互いに前記棒グラフ（２０１）の反対側に配置をすることで、ＳＷ１とＳＷ２の設定値が近くなった場合においても誤操作を防ぐことができる。
【００１６】
右側に表示されている決定および戻るアイコンは、ストローク量を決定するか否かに関係するアイコンであり、ユーザーが決定を選択した場合は、現在の設定値を保存してストローク調節画面を抜ける。また戻るを選択した場合は、現在の設定値を保存せずストローク調節画面を抜ける。
【００１７】
ここで、前記棒グラフ（２０１）や前記三角マーク（２０３）（２０４）は前記表示画面（２００）の左半分に表示するようにすることで、ユーザーの左手はストローク量の調節、右手はレリーズボタンでストローク設定値の確認、と操作を明確にわけることができ、ストローク調節の操作が行い易くなる。
【００１８】
図３のフローチャートを用いて、ユーザーがストローク調節を行う際のフローについて具体的に説明する。ユーザーが撮像装置を操作してストローク調節が開始されると（Ｓ３０１）、図２の調節画面が表示され、ユーザーは下記の各種操作が可能となる（Ｓ３０２）。
【００１９】
調節画面の中で、ユーザーはタッチパネルを使い、前記三角マーク（２０３）（２０４）の位置を変更してストローク調節を行う（Ｓ３０３）。変更されたストローク調節位置は、調節画面内において即座に反映される。
【００２０】
ユーザーがレリーズボタンを押し込んでいくと（Ｓ３０４）、その押し込み量に応じて前記棒グラフの灰色の部分（２０２）が伸びていく（Ｓ３０５）。そして、押し込み量がＳ３０３で設定された値と同じになったかどうかの判定を行い（Ｓ３０６）、同じになった時のみ圧電フィルムに電圧を印加しレリーズボタンを振動させる（Ｓ３０７）。押し込み量が設定値より深くても浅くてもレリーズボタンは振動しない。またこのステップにおいて、押し込み量と同じになったのがＳＷ１とＳＷ２どちらの場合でもレリーズボタンを振動させるようにする。
【００２１】
上記Ｓ３０３〜Ｓ３０７を繰り返し行うことで、ユーザーはＳＷ１およびＳＷ２のストローク量を所望の量に調節する。調節が完了し、調節画面を終了したい場合は決定を選択することで変更された値を保存し（Ｓ３０８）、調節終了となる（Ｓ３０９）。このとき、ＳＷ１のストローク量よりＳＷ２のストローク量の方が浅く設定されていた場合、終了する前に現在の設定ではレリーズボタンで半押しが動作しないがこのまま終了してもよいかどうか確認のメッセージを表示し、ユーザーに通知する（図４）。
【００２２】
また、戻るを選択した場合は、調節値を保存することなく調節終了となり、ストローク量はストローク調節開始前と同じ設定値になる。
【００２３】
また、実際の使用時においては、ユーザーが戸惑ってしまわないように、親指ＡＦの機能を使用している時など、レリーズボタン以外のボタンにレリーズボタンの動作の一部を割り当てている場合、レリーズボタンの押し込み量がＳＷ１の設定値に達しても圧電フィルムは振動させないようにする。
【００２４】
以上のように、圧電フィルムによる触感フィードバックを用いることで、ユーザーは簡単にかつ直感的にボタンのストローク量を調節することができる。
【００２５】
（第二の実施形態）
次に図５を用いて、本発明における第二の実施形態のレリーズボタンの構成について説明する。第一の実施形態においては、押し込み量の判定はスイッチ（１０３）がどれくらい押し込まれたか、によって行われていた。しかし、圧電フィルムは歪み量に応じて電圧を出すことができるため、押し込み量の判定を圧電フィルムからの出力電圧値を読み取るようにすることで、スイッチの働きを圧電フィルムに持たせることができるため、スイッチを無くすことも可能である。
【００２６】
そのレリーズボタン構成を示したものが図５である。ストローク調節画面や、調節のフローは第一の実施形態と同様であるため、説明は省略する。レリーズボタンの押し込み量と前記棒グラフ（２０２）の伸び方との関係について、圧電フィルムは温度特性などを持っており、同じ押し込み方をしても環境が異なると出力電圧値が変わり、電圧値を絶対値で読み取ってしまうとボタンの押し込み量を安定して検出できないことがある。
【００２７】
そのため、押し込み量を圧電フィルムで判定する場合は電圧値を補正して読み取る。補正のためのパラメータはあらかじめテーブルとして所有しておき、環境が変化したらその環境に応じて電圧値に補正をかけて読み取り、押し込み量に換算（＝棒グラフを伸ばす）するようにする。
【００２８】
以上のように、レリーズボタンの押し込み量を圧電フィルムによって判定することでも第一の実施形態と同様にユーザーは簡単にかつ直感的にボタンのストローク量を調節することができ、またスイッチがなくなることで部品点数の削減にもつながる。
【００２９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３０】
１０１  レリーズボタン
１０２  レリーズボタンの足
１０３  スイッチ
１０４  歪み量に応じて電圧を出力する部材
２００  ストローク調節における表示画面
２０３  半押し（ＳＷ１）のストローク量を変更するための操作アイコン
２０４  全押し（ＳＷ２）のストローク量を変更するための操作アイコン
【図１】
2019148632.tif 000003
【図２】
2019148632.tif 000004
【図３】
2019148632.tif 000005
【図４】
2019148632.tif 000006
【図５】
2019148632.tif 000007